(57)【要約】  回転軸に沿って配置される回転シャフト３が配置された少なくとも第１の種類の組立要素１を備える玩具組立要素であって、玩具組立セットは、少なくとも１つの第２の種類の組立要素６を備え、第２の種類の組立要素には回転ブシュ９が設けられ、回転ブシュは、２つの組立要素が回転軸の回りに互いに対して回転できるように第１の組立要素の回転シャフトを収納して、回転シャフトと相互接続するように構成される、玩具組立要素。少なくとも２つの別個のリブが、第１の種類の組立要素の回転シャフトに構成され、第２の種類の組立要素がラチェット機構７を備え、ラチェット機構は、２つの種類の組立要素がスナップ接続により相互接続される場合、２つの種類の組立要素が回転軸の回りに互いに対して回転する場合にラチェット音が生成されるように、ラチェット機構が回転シャフトのリブ５と協働するように構成される。【選択図】図１
2013540529.tif 000002
【特許請求の範囲】
【請求項１】
回転軸に沿って配置される回転シャフトが配置された少なくとも第１の種類の組立要素を備える玩具組立要素であって、前記玩具組立セットは、少なくとも１つの第２の種類の組立要素を備え、前記第２の種類の組立要素には回転ブシュが設けられ、前記回転ブシュは、前記２つの組立要素が前記回転軸の回りに互いに対して回転できるように前記第１の組立要素の前記回転シャフトを収納して、前記回転シャフトと相互接続するように構成され、前記回転シャフト及び前記回転ブシュのそれぞれにおいて、相補的結合手段が、スナップ接続を形成して、スナップ機能が前記回転軸に沿った所与の力の影響により作動される前記スナップ機能なしには前記回転軸に沿って互いと相互接続できず、又は互いから分離できないように前記回転シャフトと前記回転ブシュとを相互接続するように構成される、玩具組立要素において、少なくとも２つの別個のリブが、前記第１の種類の組立要素の前記回転シャフトに構成され、前記第２の種類の組立要素がラチェット機構を備え、前記ラチェット機構は、前記２つの種類の組立要素が前記スナップ接続により相互接続される場合、前記２つの種類の組立要素が前記回転軸の回りに互いに対して回転する場合にラチェット音が生成されるように、前記ラチェット機構が前記回転シャフトの前記リブと協働するように構成されることを特徴とする、玩具組立要素。
【請求項２】
請求項１に記載の玩具組立要素であって、前記第１の種類の玩具組立要素及び前記第２の種類の玩具組立要素の前記相補的結合手段が、前記第１の種類の玩具組立要素の前記回転シャフトの外側に、前記回転シャフトの全周にわたって延在する溝を備え、１つ又は複数のリブが、前記２つの組立要素が前記スナップ接続により相互接続された場合、該リブのそれぞれが前記溝に係合するように前記第２の種類の玩具組立要素の前記回転ブシュの内側に配置されることを特徴とする、玩具組立要素。
【請求項３】
請求項１又は２に記載の玩具組立セットであって、前記第１の種類の組立要素が本質的に平らな表面を有し、前記平面から、前記回転シャフトが略直角に延在し、前記回転シャフトが管として構成され、前記管内において、前記リブ（５）が内側に配置されることを特徴とする、玩具組立セット。
【請求項４】
請求項３に記載の玩具組立セットであって、前記第２の種類の組立要素それ自体がラチェットを構成することができ、前記第２の種類の組立要素の前記回転ブシュは管を備え、前記管は、前記２つの種類の組立要素が相互接続されると、前記第１の種類の組立要素の前記回転シャフト（３）の外側に延在し、前記ラチェット機構がラチェット要素を備え、前記２つの種類の組立要素が前記スナップ接続により相互接続された場合、前記ラチェット要素が前記第１の種類の組立要素とともに回転するように付勢されるように前記結合シャフトの内側の前記リブ（５）と係合可能なように、前記ラチェット要素が前記第２の種類の組立要素の前記管（３）に回転可能に取り付けられることを特徴とする、玩具組立セット。
【請求項５】
請求項４に記載の玩具組立セットであって、前記第２の種類の組立要素がラチェット筐体を備え、前記回転ブシュが前記ラチェット筐体と一体部分を形成し、前記ラチェット筐体内に一組のラチェットリブが構成され、前記リブは前記回転ブシュの周囲において円状に配置され、前記ラチェット要素には、幾つかの弾性ラチェットバネが構成され、前記ラチェット要素が前記ラチェット筐体内で回転する場合、該弾性ラチェットバネが、前記ラチェット筐体内の前記ラチェットリブを超えて駆動され、それにより、ラチェット音が生成されるように、前記ラチェットバネが前記ラチェットリブに対して弾性的に連続して変形することを特徴とする、玩具組立セット。
【請求項６】
請求項１から５のいずれかの一項以上に記載の玩具組立セットであって、該玩具組立セットが第３の種類の組立要素を備え、前記第３の種類の組立要素が、前記第２の種類の組立要素の前記回転ブシュに本質的に対応する回転ブシュを有するが、ラチェット機構は設けられていないことを特徴とする、玩具組立セット。
【請求項７】
請求項１から５のいずれか一項に記載の玩具組立セットであって、前記ラチェットリブ及び前記ラチェットバネが、前記ラチェット筐体の閉空間内に構成されることを特徴とする、玩具組立セット。
【請求項８】
請求項７に記載の玩具組立セットであって、前記ラチェット筐体が皿形部分を備え、前記皿形部分が前記回転ブシュに対向して配置された開口部を有するように、前記皿形部分の底部に前記回転ブシュが構成され、別個の蓋部分が構成され、前記皿形部分及び前記蓋が略閉空間を形成するように、前記蓋部分が前記皿形部分の前記開口部を覆い、前記略閉空間から、前記ラチェット要素が前記回転ブシュを通して外側に延在することを特徴とする、玩具組立セット。
【発明の詳細な説明】
【技術分野】
【０００１】
本発明は、回転軸に沿って配置された回転シャフトが配置された少なくとも１つの第１の種類の組立要素を備える玩具組立セットであって、この玩具組立セットは、回転ブシュが設けられた少なくとも１つの第２の種類の組立要素を備え、回転ブシュは、２つの組立要素が回転軸の回りに互いに対して回転できるように、第１の組立要素の回転シャフトを収納して、回転シャフトと相互接続するように構成され、回転シャフト及び回転ブシュのそれぞれにおいて、相補的結合手段が、スナップ接続を形成し、スナップ接続が回転軸に沿った所与の力の影響により作動されずには、回転軸に沿って互いと相互接続できず、又は互いから分離できないように、回転シャフトと回転ブシュとを相互接続するように構成される、玩具組立セットに関する。
【背景技術】
【０００２】
［現状技術］
上述した種類の玩具組立セットが様々な実施形態において知られており、第１の種類の組立要素及び第２の種類の組立要素を使用してターンテーブル機能体を組み立てし、ターンテーブル機能は、他の玩具組立要素又は組立ブロックからなる構造物の組立中に使用される場合、多種多様な目的に使用することができる。
【０００３】
それらの従来技術によるターンテーブルの問題は、組立要素が参与する構造物に関係なく機能が同じことであり、ひいては、特定の目的専用のターンテーブル機能体を組み立てできないことである。
【発明の概要】
【発明が解決しようとする課題】
【０００４】
したがって、製造業者により取り付けられ、ターンテーブルが個々の目的専用であるという特定の目的を以って設計される、事前に組み立てられた種々のターンテーブルを含む他の種類の玩具組立セットが知られている。
【課題を解決するための手段】
【０００５】
これに基づいて、本発明の目的は、比較的少数の個々の構成要素により、より広範囲の異なる構造物を組み立て可能な、上述した種類の玩具組立セットを提供することである。
【０００６】
これは、少なくとも２つの別個のリブが第１の種類の組立要素の回転シャフトに構成され、第２の種類の組立要素がラチェット機構を備え、ラチェット機構が、これらの２つの種類の組立要素がスナップ接続により相互接続される場合、ラチェット機構が、これらの２つの種類の組立要素が回転軸の回りに互いに対して回転する際にラチェット音及びラチェット力が生成されるように回転シャフトのリブと協働するように構成されるという点で達成される。
【０００７】
それにより、第１の種類の組立要素の単一の一実施形態を使用し、次に、任意選択的に、特定の種類のターンテーブルを組み立てしたいという望みに基づいて、第１の種類の組立要素の単一の一実施形態を第２の種類の組立要素の異なる実施形態と相互接続することが可能であり、それにより、バリエーションを提供するよりよいオプションが、比較的少数の構成要素により達成される。
【０００８】
さらに、国際公開第９３２２０１８号から、２つの組立要素が結合スタッドによってのみ相互接続される場合、２つの組立要素を互いに対して回転させる玩具組立セットの結合スタッドにスナップ接続を使用することが既知である。
【０００９】
本発明の一実施の形態によれば、第１の種類の玩具組立要素及び第２の種類の玩具組立要素の相補的結合手段が、第１の種類の玩具組立要素の回転シャフトの外側に、回転シャフトの全周にわたって延在する溝を備え、１つ又は複数のリブが、２つの組立要素がスナップ接続により相互接続された場合、リブのそれぞれが溝に係合するように回転ブシュの内側に配置される。
【００１０】
有利には、第１の種類の組立要素が本質的に平らな表面を有することができ、平面から、回転シャフトが略直角に突出し、回転シャフトが管として構成され、管において、リブが管の内側に配置される。
【００１１】
好ましい実施の形態によれば、第２の種類の組立要素それ自体がラチェットを構成することができ、第２の種類の組立要素の回転ブシュは管を備え、管は、２つの種類の組立要素が相互接続されると、第１の種類の組立要素の回転シャフトの外側に延在し、ラチェット機構がラチェット要素を備え、２つの種類の組立要素がスナップ接続により相互接続された場合、ラチェット要素が第１の種類の組立要素とともに回転するように付勢されるように回転シャフトの内側のリブと係合可能なように、ラチェット要素が第２の種類の組立要素の管に回転可能に取り付けられる。
【００１２】
これに関して、第２の種類の組立要素が有利にはラチェット筐体を備えることができ、回転ブシュがラチェット筐体と一体部分を形成し、ラチェット筐体内に一組のラチェットリブが構成され、リブは回転ブシュの周囲において円状に配置され、ラチェット要素には、幾つかの弾性ラチェットバネが構成され、ラチェット要素がラチェット筐体内で回転する場合、弾性ラチェットバネが、ラチェット筐体内のラチェットリブを超えて駆動され、それにより、ラチェット音が生成されるように、ラチェットバネがラチェットリブに対して弾性的に連続して変形する。それにより、第２の種類の組立要素を構成する構成要素の大半が同じであることができ、ラチェット機能それ自体、すなわち、ラチェット音及びラチェット機構を機能させるために必要な力が、単に異なる構成のラチェット要素を提供することにより変更可能なことが達成される。
【００１３】
さらに、玩具組立セットは、第３の種類の組立要素を備えることができ、第３の種類の組立要素が、第２の種類の組立要素の回転ブシュに本質的に対応する回転ブシュを有するが、ラチェット機構は設けられない。
【００１４】
ラチェットリブ及びラチェットバネがラチェット筐体内の閉空間内に構成される場合が特に有利であり、その理由は、ラチェット筐体内の閉空間内に構成されることにより、意図されるラチェット機能が可能な限り維持されるように、ラチェットリブ及びラチェットバネが破壊から保護されるためである。
【００１５】
これに関して、ラチェット筐体が有利には皿形部分を備えることができ、皿形部分が回転ブシュに対向して配置された開口部を有するように、皿形部分の底部に回転ブシュが構成され、別個の蓋部分が構成され、皿形部分及び蓋が略閉空間を形成するように、蓋部分が皿形部分の開口部を覆い、略閉空間から、ラチェット要素が回転ブシュを通して外側に延在する。それにより、蓋部分が、ラチェット筐体に一体化されるラチェット機能に対応する特定の目的に向けて構成されるように、同じ皿形部分に異なる蓋部分を使用することが可能になる。
【図面の簡単な説明】
【００１６】
【図１】上から斜めに見た本発明の実施形態を示す分解図である。
【図２】上から斜めに見た図１による構成要素のうちの１つの別の実施形態を示す図である。
【発明を実施するための形態】
【００１７】
したがって、図１は、第１の種類の組立要素１を示す分解図の形態の本発明によるターンテーブルを示し、第１の種類の組立要素１は本質的に平らな表面２を有し、平面２には、本質的に円筒形回転シャフト３が設けられ、回転シャフト３は、外側に、回転シャフト３の全周に連続して延在する円形溝４を有する。
【００１８】
図２は、原理上、図１に示されるものに対応するが、回転シャフト３の内側に配置される幾つかのリブ５が示され（ここでは、４つのうちの２つのみが完全に見える）、上記回転シャフト３は、中心穴を有する管として構成される。
【００１９】
図１は、第１の種類の組立要素の上方に、ラチェット筐体６、ラチェット要素７、及び蓋８の形態の第２の種類の組立要素を示す。
【００２０】
ここでは、ラチェット筐体６は実質的に、回転ブシュ９を中央に有する円筒形皿として構成され、回転ブシュ９は、第１の組立要素１の回転シャフト３を収納すると、ターンテーブルが形成されるように、第１の組立要素１の回転シャフト３を収納するように構成され、上記回転シャフト３及び上記回転ブシュ９は、第１の組立要素１及び第２の組立要素６を、円筒形回転シャフト３の対称軸により画定される回転軸を中心に回転できるようにする。
【００２１】
好ましい実施形態によれば、（図示されない）リブが、回転シャフト３の円形溝４と係合させることができる回転ブシュ９の内側に配置される。それにより、スナップ接続が、第１の種類の組立要素１と第２の種類の組立要素６との間に提供され、それにより、第２の種類の組立要素を図面に示される位置から第１の種類の組立要素上にまで押し下げることが可能であり、押し下げに続き、第１の種類の組立要素及び第２の種類の組立要素は、回転軸の回りにのみ互いに対して回転することができる。
【００２２】
回転ブッシュ９にわたり、各側にラチェットバネ１１が設けられるラチェット要素が配置される。ラチェットの下側に、回転軸３の方向において、図示の実施形態では、合計で４つの溝を有する複数溝３が提供される。そして、ラチェット要素７は、回転ブシュ９上に下げられる場合と全く同様に、回転ブシュ９を通り、回転シャフト３の中心穴まで下がって延在し、中心穴で、複数溝１３が管状回転シャフト３の内側の４つのリブ５に係合する。
【００２３】
それにより、第１の組立要素が、第２の種類の組立要素の皿６に対して回転軸の回りに回転する場合、ラチェット要素７が第１の組立要素とともに回転し、それにより、２つのラチェットバネ１１が、リブ１２が設けられるとともに皿内に配置された円筒形フランジ１０に弾性的に当接するように付勢され、第２の組立要素６の回転ブシュ９に面することが達成される。２つのラチェットバネ１１はフランジ１０の内側に配置されたリブ１２を軽くこするように付勢され、それにより、ラチェット機能が確立される。
【００２４】
ラチェット機能を非意図的に破壊することが可能であることを予防するために、蓋８が第２の組立要素６の上に提供され、上記蓋は、皿とともに、ラチェット筐体内に閉空間を形成するように蓋に取り付けられる。
【図１】
2013540529.tif 000003
【図２】
2013540529.tif 000004
【国際調査報告】
2013540529.tif 000005
2013540529.tif 000006
2013540529.tif 000007